(57)【要約】  ボイスオーバインターネットプロトコル（ＶｏＩＰ）などのパケット交換（ＰＳ）音声通信をサポートできる（１つまたは複数の）アクセスポイント、および、回路交換（ＣＳ）音声通信だけをサポートできる（１つまたは複数の）アクセスポイント、を含むネットワークにおいて、音声呼出連続性（ＶＣＣ）がサポートされた音声呼出を確立するためのページングを容易にする、システムおよび方法が説明される。ここで説明されるページング信号は、所望される端末が、もしＶｏＩＰ可能なアクセスポイントに配置された場合は単一のＰＳページング信号を受信し、そうでない場合は単一のＣＳページング信号を受信するように、選択的に配信される。ＰＳページング信号が、ＶｏＩＰ可能なアクセスポイントに配信され、かつＣＳページング信号が、ＶｏＩＰ不可能なアクセスポイントに実質上同時に配信されるスプリットページング技術がここで説明される。さらに、ＰＳページング信号が、ＶｏＩＰ可能なアクセスポイントに配信され、所望される端末から応答が受信されない場合は、ＣＳ領域のページングが行われる順次ページング技術がここで説明される。
2010529706.tif 000002
【特許請求の範囲】
【請求項１】
無線通信システムにおいてページングを実施するための方法であって、
パケット交換（ＰＳ）無線領域内で音声通信が可能である１つまたは複数の基地局および前記ＰＳ無線領域内で音声通信が可能でない１つまたは複数の基地局を含むネットワーク内に配置された端末に対して、回路交換（ＣＳ）無線領域および前記ＰＳ無線領域のうちの１つまたは複数の中でページングを開始することと；
ＣＳ領域のページング要求またはＰＳ領域のページング要求のうちの１つもしくは複数が、単一のページング信号を前記端末に通信させるように、前記１つもしくは複数のページング要求を構成することと、なお、前記ページング信号は、前記端末にサービス提供している基地局の能力に基づいて音声通信のための最適な無線領域内にある；
を備える方法。
【請求項２】
前記構成することは、前記端末が前記ＰＳ無線領域内で音声通信が可能である基地局によってサービス提供されている場合は、前記ＰＳ無線領域内でページング信号を、そうでない場合は、前記ＣＳ無線領域内でページング信号を、前記端末が受信するように、１つまたは複数のページング要求を構成すること、を備える、請求項１に記載の方法。
【請求項３】
前記開始することは、前記ＣＳ無線領域内および前記ＰＳ無線領域内でページングを実質上同時に開始することを備え、そして、前記構成することは、第１の表示を、ＰＳ領域のページング要求に従って通信されたページング信号を前記ＰＳ無線領域内の音声通信が可能である基地局に限定する前記ＰＳ領域のページング要求に、関連づけることと、第２の表示を、ＣＳ領域のページング要求に従って通信されたページング信号を前記ＰＳ無線領域内の音声通信が可能でない基地局に限定する前記ＣＳ領域のページング要求に、関連づけることと、を備える、請求項１に記載の方法。
【請求項４】
前記第１の表示は、前記ＰＳ領域のページング要求内のフラッグビットであり、前記第２の表示は、前記ＣＳ領域のページング要求内のフラッグビットである、請求項３に記載の方法。
【請求項５】
前記ＰＳ領域のページング要求および前記ＣＳ領域のページング要求を無線ネットワークコントローラ（ＲＮＣ）に通信すること、をさらに備える請求項３に記載の方法。
【請求項６】
前記開始することは、前記ＰＳ無線領域内でページングを開始することを備え、そして、前記構成することは、表示を、ＰＳ領域のページング要求に従って通信されたページング信号を前記ＰＳ無線領域内の音声通信が可能である基地局に限定する前記ＰＳ領域のページング要求に、関連づけることと、前記ＰＳ領域のページング要求に従って通信されたページング信号に対する応答が前記端末から受信されたかどうかを決定することと、前記端末から応答が受信されない場合、前記ＣＳ無線領域内でページングを繰り返すことと、を備える請求項１に記載の方法。
【請求項７】
前記ＰＳ領域のページング要求に関連する前記表示は、前記ＰＳ領域のページング要求内のフラッグビットである、請求項６に記載の方法。
【請求項８】
前記ＰＳ無線領域を無線ネットワークコントローラ（ＲＮＣ）に提供することをさらに備え、前記ＲＮＣは、前記ＰＳ領域のページング要求に従ってページング信号を通信する、請求項６に記載の方法。
【請求項９】
前記ＰＳ領域のページング要求に従って通信されたページング信号に対する応答が、前記端末から受信されたかどうかを前記決定することは、前記ＲＮＣによって通信されたページング信号に応答して、前記ＲＮＣによって提供された成功裏のページング通知または失敗通知のうちの１つを識別すること、を備える、請求項８に記載の方法。
【請求項１０】
前記ＰＳ領域のページング要求に従って通信されたページング信号に対する応答が前記端末から受信されたかどうかを前記決定することは、前記ＲＮＣによって通信されたページング信号に対する前記端末による応答の通知が所定の期間内に受信されたかどうかを決定すること、を備える、請求項８に記載の方法。
【請求項１１】
前記端末の成功裏のページング時に、前記端末に対する音声呼出を確立すること、をさらに備え、前記音声呼出が、前記端末の前記成功裏のページングに関して使用される無線領域内で確立される、請求項１に記載の方法。
【請求項１２】
前記ＰＳ無線領域における音声通信は、ボイスオーバインターネットプロトコル（ＶｏＩＰ）に基づく、請求項１に記載の方法。
【請求項１３】
ボイスオーバインターネットプロトコル（ＶｏＩＰ）通信が可能である１つまたは複数のノードＢおよびＶｏＩＰ通信が可能でない１つまたは複数のノードＢを備える無線通信ネットワークと、音声通信セッションが確立されることになる前記無線通信ネットワーク内のユーザ装置（ＵＥ）と、に関係するデータを記憶するメモリと、
前記ＵＥに対して回路交換（ＣＳ）領域およびパケット交換（ＰＳ）領域のうちの１つまたは複数の中でページングをトリガするように、そして、前記ＣＳ領域に関するページング要求および前記ＰＳ領域に対するページング要求のうちの１つまたは複数が、前記ＵＥに、前記ＵＥを含む受信可能範囲領域を有する前記ネットワーク内のノードＢの能力に少なくとも一部基づいて選択された無線領域内で単一のページを受信させるように、前記１つまたは複数のページング要求を構築するように、構成されたプロセッサと、
を備える無線通信装置。
【請求項１４】
前記ＵＥが、ＶｏＩＰ通信が可能である場合は前記ＰＳ領域内でページを、または、そうでない場合は前記ＣＳ領域内でページを、受信するように、前記ＵＥを含む受信可能範囲領域を有する前記ネットワーク内のノードＢが、前記１つまたは複数のページング要求を構築するように、前記プロセッサは、さらに構成されている、請求項１３に記載の無線通信装置。
【請求項１５】
前記プロセッサは、前記ＣＳ領域内および前記ＰＳ領域内でページングを実質上同時にトリガするように、そして、前記ＰＳ領域内で応答するページを、ＶｏＩＰ通信が可能であるノードＢに選択的に配信されるようにする、前記ＰＳ領域におけるページング要求、を構築するように、そして、前記ＣＳ領域内で応答するページをＶｏＩＰ通信が可能でないノードＢに選択的に配信されるようにする、前記ＣＳ領域におけるページング要求、を構築するように、さらに構成されている、請求項１３に記載の無線通信装置。
【請求項１６】
前記プロセッサは、前記ＰＳ領域内および前記ＣＳ領域内で前記ページング要求を無線ネットワークコントローラ（ＲＮＣ）に通信するようにさらに構成されている、請求項１５に記載の無線通信装置。
【請求項１７】
前記プロセッサは、前記ＰＳ領域内でページングをトリガするように、そして、前記ＰＳ領域内で応答するページを、ＶｏＩＰ通信が可能であるノードＢに選択的に配信されるようにする、前記ＰＳ領域におけるページング要求、を構築するように、そして、前記ＰＳ領域における前記ページング要求に応答して中継されたページに対する前記ＵＥからの応答を識別することを試みるように、そして、前記ＵＥから応答が識別されない場合は、前記ＣＳ領域内でページングを繰り返すように、さらに構成されている、請求項１３に記載の無線通信装置。
【請求項１８】
前記プロセッサは、前記ＰＳ領域における前記ページング要求を無線ネットワークコントローラ（ＲＮＣ）に提供するように、そして、前記ページング要求に基づいてページング信号を通信することを前記ＲＮＣに命令するように、さらに構成されている、請求項１７に記載の無線通信装置。
【請求項１９】
前記プロセッサは、少なくとも一部、前記ＲＮＣによって通信されたページに応答して、前記ＲＮＣによって提供された成功裏のページング通知または失敗通知のうちの１つを識別することによって、前記ＵＥからの応答を識別することを試みるように、さらに構成されている、請求項１８に記載の無線通信装置。
【請求項２０】
前記プロセッサは、少なくとも一部、前記ＲＮＣによって通信されたページに対する前記ＵＥによる応答の通知が所定の期間内に受信されたかどうかを決定することによって、前記ＵＥからの応答を識別することを試みるように、さらに構成されている、請求項１８に記載の無線通信装置。
【請求項２１】
前記プロセッサは、前記ＵＥが成功裏にページを受信する領域内で前記ＵＥと音声呼出を確立するように、さらに構成されている、請求項１３に記載の無線通信装置。
【請求項２２】
前記プロセッサは、
ＶｏＩＰ通信が可能であるノードＢからＶｏＩＰ通信が可能でないノードＢに対する前記音声呼出のハンドオフを管理すること、または
ＶｏＩＰ通信が可能でないノードＢからＶｏＩＰ通信が可能であるノードＢに対する前記音声呼出のハンドオフを管理すること、
のうちの１つまたは複数を実行するようにさらに構成されている、
請求項２１に記載の無線通信装置。
【請求項２３】
少なくとも１つのボイスオーバインターネットプロトコル（ＶｏＩＰ）可能なノードＢおよび少なくとも１つのＶｏＩＰ不可能なノードＢを備えたネットワーク内に配置された移動体端末と音声呼出を確立することを容易にする装置であって、
回路交換（ＣＳ）無線領域およびパケット交換（ＰＳ）無線領域のうちの１つまたは複数の中でページングを開始するための手段と、
前記移動体端末に１つのページング信号を受信させるためにＣＳ領域のページング要求またはＰＳ領域のページング要求のうちの少なくとも１つを生成するための手段と、
を備え、
前記移動体端末が、ＶｏＩＰ可能なノードＢによってサービス提供されている場合は、前記ページング信号は前記ＰＳ無線領域内にあり、前記移動体端末が、ＶｏＩＰ不可能なノードＢによってサービス提供されている場合は、前記ページング信号は前記ＣＳ無線領域内にある、
装置。
【請求項２４】
ページングを開始するための前記手段は、前記ＣＳ無線領域内および前記ＰＳ無線領域内でページングを同時にまたはほぼ同時に開始するための手段を備え、そして、生成するための前記手段は、前記ＰＳ領域のページング要求に応答するページング信号をＶｏＩＰ可能なノードＢに選択的に配信させる第１のフラッグを前記ＰＳ領域のページング要求内に含めるための手段と、前記ＣＳ領域のページング要求に応答するページング要求をＶｏＩＰ不可能なノードＢに選択的に配信させる第２のフラッグを前記ＣＳ領域のページング要求内に含めるための手段と、を備える、請求項２３に記載の装置。
【請求項２５】
ページングを開始するための前記手段は、前記ＰＳ無線領域におけるページングを開始するための手段を備え、そして、生成するための前記手段は、前記ＰＳ領域のページング要求に応答するページング信号をＶｏＩＰ可能なノードＢに選択的に配信させるフラッグを前記ＰＳ領域のページング要求内に含めるための手段と、前記移動体端末が前記ＰＳ領域のページング要求に応答して通信されたページング信号に応答したかどうかを決定するための手段と、前記移動体端末から応答が受信されない場合は、前記ＣＳ無線領域内の前記移動体端末に対してページングを実施するための手段、とを備える、請求項２３に記載の装置。
【請求項２６】
コンピュータにボイスオーバインターネットプロトコル（ＶｏＩＰ）可能なアクセスポイント（ＡＰ）およびＶｏＩＰ不可能なＡＰを含むネットワーク内に配置された端末に対して回路交換（ＣＳ）ページングおよびパケット交換（ＰＳ）ページングのうちの１つまたは複数を初期化させるためのコードと；
前記端末が単一のページを受信するように、コンピュータにＣＳページおよびＰＳページの選択的な配信を命令させるためのコードと、なお、前記端末がＶｏＩＰ可能なＡＰに配置される場合は、前記ページはＰＳページであり、そうでない場合は、前記ページはＣＳページである；
を備えるコンピュータ可読媒体。
【請求項２７】
コンピュータにＣＳページングおよびＰＳページングのうちの１つまたは複数を初期化させるための前記コードは、コンピュータにＣＳページングおよびＰＳページングを実質上同時に初期化させるためのコードを備え、そして、コンピュータにＣＳページおよびＰＳページの選択的な配信を命令させるための前記コードは、コンピュータにＰＳページの配信をＶｏＩＰ可能なＡＰに限定させるためのコードと、コンピュータにＣＳページの配信をＶｏＩＰ不可能なＡＰに限定させるためのコードと、を備える、請求項２６に記載のコンピュータ可読媒体。
【請求項２８】
コンピュータにＣＳページングおよびＰＳページングのうちの１つまたは複数を初期化させるための前記コードは、コンピュータにＰＳページングを初期化させるためのコードを備え、そして、コンピュータにＣＳページおよびＰＳページの選択的な配信を命令させるための前記コードは、コンピュータにＰＳページの配信をＶｏＩＰ可能なＡＰに限定させるためのコードと、コンピュータにＰＳページに対する応答が前記端末から受信されたかどうかを決定させるためのコードと、応答が受信されない場合は、コンピュータに前記端末に対するＣＳページの配信を命令させるためのコードと、を備える、請求項２６に記載のコンピュータ可読媒体。
【請求項２９】
混在するボイスオーバインターネットプロトコル（ＶｏＩＰ）可能な／ＶｏＩＰ不可能なネットワーク内のアクセス端末と音声呼出を確立するためのコンピュータ実行可能命令を実行する集積回路であって、前記命令は、
回路交換（ＣＳ）ページングおよびパケット交換（ＰＳ）ページングのうちの１つまたは複数をトリガすることと、
前記アクセス端末が前記ネットワーク内にＶｏＩＰ受信有効範囲を有する場合は、ＰＳページング信号が前記アクセス端末に配信され、前記アクセス端末が前記ネットワーク内にＶｏＩＰ受信可能範囲を有さない場合は、ＣＳページング信号が前記アクセス端末に配信されるように、前記アクセス端末に対するＣＳページング信号またはＰＳページング信号のうちの１つまたは複数の選択的な配信を管理することと、
を備える、
集積回路。
【請求項３０】
前記トリガすることは、ＣＳページングおよびＰＳページングを実質上同時にトリガすること、を備える、請求項２９に記載の集積回路。
【請求項３１】
前記トリガすることは、ＰＳページングをトリガすること、を備え、そして、前記管理することは、前記アクセス端末に対するＰＳページング信号の配信を管理することを試みることと、前記アクセス端末が前記ＰＳページング信号を成功裏に受信したかどうかを決定することと、前記アクセス端末が前記ＰＳページング信号を成功裏に受信しなかった場合は、前記アクセス端末に対するＣＳページング信号の配信を管理することと、を備える、請求項２９に記載の集積回路。
【請求項３２】
ユーザ装置（ＵＥ）と音声呼出を確立するための方法であって、
前記パケット交換（ＰＳ）無線領域におけるページング要求および前記回路交換（ＣＳ）無線領域におけるページング要求のうちの１つまたは複数を受信することと、なお、前記１つまたは複数のページング要求は、ＰＳ音声通信が可能である１つまたは複数のノードＢおよびＰＳ音声通信が可能でない１つまたは複数のノードＢを含むネットワーク内に配置されたＵＥに対して音声呼出を確立するためにページングが実行されるべきであることを示す；
ＰＳ領域のページング信号をＰＳ音声通信が可能であるノードＢに送信すること、またはＣＳ領域のページング信号をＰＳ音声通信が可能でないノードＢに送信すること、のうちの１つまたは複数と：
を備える方法。
【請求項３３】
前記受信することは、前記ＰＳ無線領域におけるページング要求および前記ＣＳ無線領域におけるページング要求を実質上同時に受信すること、を備え、ＰＳ領域のページング信号を送信することおよびＣＳ領域のページング信号を送信することのうちの前記１つまたは複数は、ＰＳ領域のページング信号およびＣＳ領域のページング信号を実質上同時に送信することを備える、請求項３２に記載の方法。
【請求項３４】
前記受信することは、前記ＰＳ無線領域におけるページング要求を受信すること、を備え、そして、ＰＳ領域のページング信号を送信すること、またはＣＳ領域のページング信号を送信することのうちの前記１つまたは複数は、
ＰＳ領域のページング信号をＰＳ音声通信が可能であるノードＢに送信することと、
前記ＰＳ領域のページング信号に対する応答が前記ＵＥによって受信されたかどうかを決定することと、
前記ＵＥによって応答が受信されない場合は、失敗通知を生成することと、
を備える、
請求項３２に記載の方法。
【請求項３５】
前記ＰＳ領域のページング信号に対する応答が前記ＵＥによって受信されない場合は、失敗通知を音声呼出連続性サーバに提供すること、をさらに備える請求項３４に記載の方法。
【請求項３６】
前記失敗通知に応答して、ＣＳ領域のページング要求を受信することと、
前記ＣＳ無線領域内で前記ＵＥに対してページングを実施することと
をさらに備える請求項３５に記載の方法。
【請求項３７】
ＰＳ音声通信はボイスオーバインターネットプロトコル（ＶｏＩＰ）に基づく、請求項３２に記載の方法。
【請求項３８】
ボイスオーバインターネットプロトコル（ＶｏＩＰ）通信が可能である１つまたは複数のノードＢおよびＶｏＩＰ通信が可能でない１つまたは複数のノードＢを備える通信ネットワークと、音声通信セッションが確立されることになる前記通信ネットワーク内の端末と、選択的なページングが示された回路交換（ＣＳ）領域のページング要求またはパケット交換（ＰＳ）領域のページング要求のうちの１つまたは複数と、に関係するデータを記憶するメモリと、
選択的なページングが示されているＣＳ領域のページング要求に応答してページを、ＶｏＩＰ通信が可能でないノードＢに配信するように、そして、選択的なページングが示されているＰＳ領域のページング要求に応答してページを、ＶｏＩＰ通信が可能であるノードＢに配信するように、構成された、プロセッサと、
を備える無線通信装置。
【請求項３９】
前記プロセッサは、選択的なページングが示されているＣＳ領域のページング要求およびＰＳ領域のページング要求に応答して、ページを同時にまたはほぼ同時に配信するように、さらに構成されている、請求項３８に記載の無線通信装置。
【請求項４０】
前記プロセッサは、選択的なページングが示されているＰＳ領域のページング要求を受信するように、そして、前記ページング要求に応答して、ページをＶｏＩＰ通信可能であるノードＢに配信するように、そして、前記ページに対する応答が前記端末から受信されるかどうかを決定するように、そして、前記ＰＳ領域のページング要求が受信されたエンティティに前記決定の結果を提供するように、さらに構成されている、請求項３８に記載の無線通信装置。
【請求項４１】
無線通信システムにおけるページング信号の通信を容易にする装置であって、
ページングが回路交換（ＣＳ）無線領域またはパケット交換（ＰＳ）無線領域のうちの１つもしくは複数においてトリガされていることを決定するための手段と、
前記ＰＳ無線領域内でページング信号をボイスオーバインターネットプロトコル（ＶｏＩＰ）可能なアクセスポイントに通信するための手段と、
前記ＣＳ無線領域内でページング信号をＶｏＩＰ不可能なアクセスポイントに通信するための手段と、
を備える装置。
【請求項４２】
コンピュータに、１つまたは複数のパケット交換（ＰＳ）音声可能なノードＢおよび１つまたは複数のＰＳ音声不可能なノードＢを備える無線通信システム内のユーザ装置（ＵＥ）に送信されるべきページング信号の要求を、識別させるためのコードと；
コンピュータに、単一のページング信号を、前記ＵＥに通信機能性を提供しているノードＢに配信させるためのコードと、なお、前記ページング信号は、前記ノードＢがＰＳ音声可能なノードＢである場合は、ＰＳページング信号であり、または、そうでない場合は、回路交換（ＣＳ）ページング信号である；
を備えるコンピュータ可読媒体。
【請求項４３】
混在するボイスオーバインターネットプロトコル（ＶｏＩＰ）可能な／ＶｏＩＰ不可能な無線通信システム内に配置された端末と音声呼出を確立するためのコンピュータ実行可能命令を実行する集積回路であって、前記命令が、
Ｉｕインターフェース上で１つまたは複数のページング要求を受信することと、
前記１つまたは複数のページング要求に応答して、ページング信号を前記端末にネットワーク受信可能範囲を提供しているノードＢに配信することと、なお、前記ページング信号は、前記ノードＢがＶｏＩＰ可能である場合は、ＶｏＩＰ呼出を確立し、または前記ノードＢがＶｏＩＰ可能でない場合は、回路交換呼出を確立する；
を備える、
集積回路。
【発明の詳細な説明】
【相互参照】
【０００１】
この出願は、２００７年５月１日に出願され、「音声呼出連続性のためのスプリットおよび順次ページング(SPLIT AND SEQUENTIAL PAGING FOR VOICE CALL CONTINUITY)」と題され、参照によりその全体がここに組み込まれている米国仮特許出願第６０／９１５，４２４号の優先権を主張する。
【背景】
【０００２】
［Ｉ．分野］
本開示は、一般に、無線通信に関し、より詳細には、無線通信システムにおいてページングを実施する(conducting paging)ための技法に関する。
【０００３】
［ＩＩ．背景］
無線通信システムは、様々な通信サービスを提供するために広く配備されている。例えば、音声サービス、ビデオサービス、パケットデータサービス、ブロードキャストサービス、およびメッセージングサービスは、そのような無線通信システムを経由して提供されることが可能である。これらのシステムは、利用可能なシステムリソースを共有することによって複数の端末に対する通信をサポートすることができる多元接続システム(multiple-access systems)であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
一般に、無線多元接続通信システム(wireless multiple-access communication system)は、複数の無線端末に対する通信を同時にサポートすることが可能である。そのようなシステムにおいて、それぞれの端末は、順方向リンク上および逆方向リンク上で伝送を介して１つまたは複数の基地局と通信することが可能である。順方向リンク（すなわち、ダウンリンク）は、基地局から端末に対する通信リンクを指し、逆方向リンク（すなわち、アップリンク）は、端末から基地局に対する通信リンクを指す。この通信リンクは、単一入力単一出力（ＳＩＳＯ）システム、多入力単一出力（ＭＩＳＯ）システム、多入出力（ＭＩＭＯ）システムなどを経由して確立される(established)ことができる。
【０００５】
音声呼出連続性(Voice Call Continuity)（ＶＣＣ）は、無線端末が１つのセルの受信可能範囲(coverage)から別のセルの受信可能範囲に移動するとき、それによって、無線端末での音声呼出(voice call)が維持されるプロセスである。従来、無線端末で音声呼出を固定する(anchoring)によって、また、セル間の音声呼出のハンドオーバを管理することによって、ＶＣＣをサポートするために、無線通信システムにおいてＶＣＣアプリーションサーバ（ＡＳ）が利用される。ＶＣＣをサポートするシステム内の無線端末において音声呼出を確立する(establish)ために、ＶＣＣ  ＡＳは無線端末のページング(paging)を開始できる。
【０００６】
回路交換（ＣＳ）音声通信だけをサポートするネットワークに再配置され得るＶＣＣがサポートされた呼出(VCC-supported call)を（例えば、ボイスオーバインターネットプロトコル(Voice over Internet Protocol)（ＶｏＩＰ）を介して）パケット交換（ＰＳ）無線領域(packet switched (PS) radio domain)おいて音声通信をサポートするネットワーク上で確立するために、またはその逆のために、ＶＣＣ  ＡＳは、特定の無線端末にサービス提供している基地局がＰＳ音声通信をサポートするかどうかの知識を有さない場合がある。結果として、そのような場合、ＶＣＣ  ＡＳは、通常、ＣＳ領域およびＰＳ領域の両方を通じて無差別にページングすることが要求される。次に、これは無線端末に２つの表面上独立したページを同時に受信させる可能性があり、これは、端末によって衝突(conflict)として誤って解釈される可能性がある。さらに、端末が、低速ＰＳサービスをサポートするアクセスポイントによってサービス提供されている間にＰＳページを受信するものの、ＰＳ音声通信をサポートしない場合、端末は当該ページに応答して、ＰＳ呼出を確立しようと試みて不成功に終わる可能性がある。そのような場合、端末はＰＳ呼出ではなく、ＣＳ呼出を確立することが望ましいが、通常、ＰＳページの前にＣＳページが端末に到着することを確実にする方法は存在しない。
【０００７】
したがって、ＰＳ音声通信をサポートすることが可能な（１つまたは複数の）アクセスポイントならびにＣＳ音声通信だけをサポートすることが可能な（１つまたは複数の）アクセスポイントを含むネットワーク内にＶＣＣがサポートされた音声呼出が確立され得る技法の必要性が当技術分野に存在する。
【発明の概要】
【０００８】
以下の説明は、特許請求された主題の様々な態様の基本的な理解をもたらす目的で、そのような態様の簡素化された概要を提示する。この概要は、すべての企図される態様の広範な概要ではなく、そのような態様の重要なもしくは重大な要素を識別すること、またはそのような態様の範囲を描写することが意図されない。その唯一の目的は、後で提示されるより詳細な説明の前置きとして、開示された態様のいくつかの概念を簡素化された形で提示することである。
【０００９】
態様によれば、無線通信システムにおいてページングを実施するための方法がここに説明される。この方法は、パケット交換（ＰＳ）無線領域内の音声通信が可能である１つまたは複数の基地局およびＰＳ無線領域内の音声通信が可能でない１つまたは複数の基地局を含むネットワーク内に配置された端末に対して、回路交換（ＣＳ）無線領域およびＰＳ無線領域のうちの１つまたは複数の中でページングを開始することと、ＣＳ領域のページング要求またはＰＳ領域のページング要求のうちの１つまたは複数が、単一のページング信号を当該端末に通信させるように、１つまたは複数のページング要求を構成することと、を備えることが可能であり、このページング信号は、当該端末にサービス提供している基地局の能力に基づいて、音声通信のための最適な無線領域内にある。
【００１０】
別の態様は、ボイスオーバインターネットプロトコル（ＶｏＩＰ）通信が可能である１つまたは複数のノードＢおよびＶｏＩＰ通信が可能でない１つまたは複数のノードＢを備える無線通信ネットワークと、音声通信セッションが確立されることになる当該無線通信ネットワーク内のユーザ装置（ＵＥ）と、に関係するデータを記憶するメモリを備えることができる無線通信装置(wireless communication network)に関する。この無線通信装置は、ＵＥに対してＣＳ領域およびＰＳ領域のうちの１つまたは複数の中でページングをトリガするように、そして、ＣＳ領域向けのページング要求およびＰＳ領域向けのページング要求のうちの１つまたは複数が、ＵＥに、当該ＵＥを含む受信可能範囲領域を有するネットワーク内のノードＢの能力に少なくとも一部基づいて選択された無線領域内で単一のページを、受信させるように、当該１つまたは複数のページング要求を構築するように構成されたプロセッサ、をさらに備えることができる。
【００１１】
さらに別の態様は、少なくとも１つのＶｏＩＰ可能なノードＢ(VoIP-capable Node B)および少なくとも１つのＶｏＩＰ不可能なノードＢ(non-VoIP-capable Node B)を備えるネットワーク内に配置された移動体端末と音声呼出を確立することを容易にする装置(apparatus)に関する。この装置は、ＣＳ無線領域およびＰＳ無線領域のうちの１つまたは複数の中でページングを開始するための手段と、移動体端末に１つのページング信号を受信させるためのＣＳ領域のページング要求またはＰＳ領域のページング要求のうちの少なくとも１つを生成するための手段と、を備えることができ、ページング信号は、移動体端末がＶｏＩＰ可能なノードＢによってサービス提供されている場合は、ＰＳ無線領域内にあり、ページング信号は、移動体端末がＶｏＩＰ不可能なノードＢによってサービス提供されている場合は、ＣＳ無線領域内にある。
【００１２】
さらに別の態様は、コンピュータにＶｏＩＰ可能なアクセスポイント（ＡＰ）(VoIP-capable access points (APs))およびＶｏＩＰ不可能なＡＰ(non-VoIP-capable APs)を含むネットワーク内に配置された端末に対するＣＳページングおよびＰＳページングのうちの１つまたは複数を初期化させるためのコードと、端末が単一のページを受信するように、コンピュータにＣＳページおよびＰＳページの選択的な配信(selective delivery)を命令させるためのコードと、を備えることができるコンピュータ可読媒体(computer-readable medium)に関し、この場合、端末がＶｏＩＰ可能なＡＰに配置された場合は、当該ページはＰＳページであり、そうでない場合、当該ページはＣＳページである。
【００１３】
さらなる態様は、混在するＶｏＩＰ可能な／ＶｏＩＰ不可能なネットワーク(mixed VoIP-capable/non-VoIP-capable network)内のアクセス端末と音声呼出を確立するためのコンピュータ実行可能命令を実行できる集積回路(integrated circuit)に関する。これらの命令は、ＣＳページングまたはＰＳページングのうちの１つまたは複数をトリガすることと、アクセス端末がネットワーク内にＶｏＩＰ受信有効範囲を有する場合は、ＰＳページング信号が当該アクセス端末に配信され(delivered)、アクセス端末がネットワーク内にＶｏＩＰ受信可能範囲を有さない場合は、ＣＳページング信号が当該アクセス端末に配信されるように、アクセス端末に対するＣＳページング信号またはＰＳページング信号のうちの１つまたは複数の選択的な配信を管理することと、を備え得る。
【００１４】
追加の態様によれば、ＵＥと音声呼出を確立するための方法がここにおいて説明される。この方法は、ＰＳ無線領域におけるページング要求およびＣＳ無線領域におけるページング要求のうちの１つまたは複数、を受信することと、なお、当該１つまたは複数のページング要求は、ＰＳ音声通信が可能である１つまたは複数のノードＢおよびＰＳ音声通信が可能でない１つまたは複数のノードＢを含むネットワーク内に配置されたＵＥに対して音声呼出を確立するためにページングが実行されるべきであることを示す；ＰＳ領域のページング信号をＰＳ音声通信が可能であるノードＢに送信すること、およびＣＳ領域のページング信号をＰＳ音声通信が可能でないノードＢに送信すること、のうちの１つまたは複数と；を備えることができる。
【００１５】
別の態様は、ＶｏＩＰ通信が可能である１つまたは複数のノードＢおよびＶｏＩＰ通信が可能でない１つまたは複数のノードＢを備えた通信ネットワークと、音声通信セッションが確立されることになる通信ネットワーク内の端末と、選択的なページングが示されるＣＳ領域のページング要求またはＰＳ領域のページング要求のうちの１つまたは複数と、に関係するデータ、を記憶するメモリを備えることができる無線通信装置に関する。無線通信装置は、選択的なページングが示されるＣＳ領域のページ要求に応答して、ページをＶｏＩＰ通信が可能でないノードＢに配信するように、そして、選択的なページングが示されるＰＳ領域のページング要求に応答して、ページをＶｏＩＰ通信が可能であるノードＢに配信するように、構成されたプロセッサ、をさらに備える。
【００１６】
さらなる態様は、無線通信システムにおいてページング信号の通信を容易にする装置に関する。この装置は、ページングがＣＳ無線領域またはＰＳ無線領域のうちの１つまたは複数においてトリガされていることを決定するための手段と、ＰＳ無線領域内でページング信号をＶｏＩＰ可能なアクセスポイントに通信するための手段と、ＣＳ無線領域内でページング信号をＶｏＩＰ不可能なアクセスポイントに通信するための手段と、を備えることができる。
【００１７】
さらに別の態様は、コンピュータに１つまたは複数のＰＳ音声可能なノードＢおよび１つまたは複数のＰＳ音声不可能なノードＢを備える無線通信システム内のＵＥにページング信号を送信させるための要求を識別させるためのコードと、コンピュータに、単一のページング信号をＵＥに通信機能性を提供しているノードＢに配信させるためのコードと、を備えることができるコンピュータ可読媒体に関し、ページング信号は、ノードＢがＰＳ音声可能なノードＢである場合は、ＰＳページング信号であり、または、そうでない場合は、ＣＳページング信号である。
【００１８】
さらに別の態様は、混在するＶｏＩＰ可能な／ＶｏＩＰ不可能な無線通信システム内に配置された端末と音声呼出を確立するためのコンピュータ実行可能命令を実行する集積回路に関する。これらの命令は、Ｉｕインターフェース上で１つまたは複数のページング要求を受信することと、１つまたは複数のページング要求に応答して、ページング信号を当該端末にネットワーク受信有効範囲を提供しているノードＢに配信することと、を備えることができ、このページング信号は、ノードＢがＶｏＩＰが可能である場合は、ＶｏＩＰ呼出を確立し、ノードＢがＶｏＩＰ可能でない場合は、回路交換呼出を確立する。
【００１９】
前述の目的および関連する目的を達成するために、特許請求される主題の１つまたは複数の態様は、下記に十分に説明され、特に、特許請求の範囲において指示される特徴を備える。以下の説明および添付の図面は、特許請求される主題のいくつかの例示的な態様を詳細に記載する。しかし、これらの態様は、特許請求される主題の原理が用いられ得る様々な方法のほんのいくつかの様式を示す。さらに開示される態様は、すべてのそのような態様およびそれらの均等物を包括するように意図される。
【図面の簡単な説明】
【００２０】
【図１】ここにおいて記載される様々な態様による無線多元接続通信システムを示す図。
【図２】無線通信システムにおいて音声呼出の確立を容易にするシステムを示すブロック図。
【図３】無線通信システムによって実行され得る例示的なページング手順(paging procedures)を示す図。
【図４】無線通信システムによって実行され得る例示的なページング手順を示す図。
【図５】無線通信システムにおいて音声呼出連続性によってサポートされた音声呼出を確立するための例示的な技法を示すメッセージ流れ図。
【図６】無線通信システムにおいて音声呼出連続性によってサポートされた音声呼出を確立するための例示的な技法を示すメッセージ流れ図。
【図７】無線音声呼出を確立するためにページングを開始するための方法を示す流れ図。
【図８】無線音声呼出を確立するためにページングを開始するための方法を示す流れ図。
【図９】無線音声呼出を確立するためにページングを開始するための方法を示す流れ図。
【図１０】移動体端末と音声呼出を確立するための方法を示す流れ図。
【図１１】ここで説明される様々な態様が機能し得る例示的な無線通信システムを示すブロック図。
【図１２】無線通信システムにおいて音声呼出の開始を容易にする装置を示すブロック図。
【図１３】無線通信システムにおいて音声呼出の開始を容易にする装置を示すブロック図。
【図１４】無線通信システムにおいて音声呼出の開始を容易にする装置を示すブロック図。
【図１５】無線通信システムにおいて端末に対するページングを容易にする装置を示すブロック図。
【詳細な説明】
【００２１】
次に、図面を参照して、特許請求される主題の様々な態様が説明され、全体にわたって類似の要素を示すために類似の参照番号が使用される。以下の説明において、説明の目的で、１つまたは複数の態様の十分な理解をもたらすために多数の特定の詳細が記載される。しかし、そのような（１つまたは複数の）態様は、これらの特定の詳細なしで実施され得る点は明らかであり得る。その他の場合、１つまたは複数の態様の説明を容易にする目的で、よく知られている構造およびデバイスがブロック図の形で示される。
【００２２】
この出願で使用される場合、「構成要素」、「モジュール」、「システム」などの用語は、コンピュータ関連のエンティティ、すなわち、ハードウェア、ファームウェア、ハードウェアとソフトウェアの組合せ、ソフトウェア、実行中のソフトウェアを指すことが意図される。例えば、構成要素は、プロセッサ上で実行しているプロセス、集積回路、オブジェクト、エクセキュータブル、一続きの実行、プログラム、および／またはコンピュータであり得るが、これらであると限定されない。例として、コンピューティングデバイス上で実行しているアプリケーションおよびコンピューティングデバイスは両方とも構成要素であり得る。１つまたは複数の構成要素は、プロセスおよび／または一続きの実行の中に存在することが可能であり、構成要素は、１つのコンピュータ上にローカライズされてよく、かつ／または２つ以上のコンピュータの間で分散されてもよい。加えて、これらの構成要素は、様々なデータ構造が記憶された様々なコンピュータ可読媒体から実行することが可能である。これらの構成要素は、１つまたは複数のデータパケット（例えば、ローカルシステム内で、分散されたシステム内で別の構成要素と相互作用している、かつ／またはインターネットなどのネットワークの全域で信号によってその他のシステムと相互作用している１つの構成要素からのデータ）を有する信号に従ってなど、局所プロセスおよび／または遠隔プロセスによって通信することが可能である。
【００２３】
さらに、無線端末および／または基地局に関する様々な態様がここで説明される。無線端末は、ユーザに音声接続性および／またはデータ接続性を提供するデバイスを指す場合がある。無線端末は、ラップトップコンピュータもしくはデスクトップコンピュータなどのコンピューティングデバイスに接続されてよく、または携帯情報端末（ＰＤＡ）などのデバイス内に内蔵されてもよい。無線端末は、システム、加入者ユニット、加入者局、移動局、移動体、遠隔局、アクセスポイント、遠隔端末、アクセス端末、ユーザ端末、ユーザエージェント、ユーザデバイス、またはユーザ装置と呼ばれる場合もある。無線端末は、加入者局、無線デバイス、セルラ電話、ＰＣＳ電話、コードレス電話、セッション開始プロトコル（ＳＩＰ）電話、無線ローカルループ（ＷＬＬ）局、携帯情報端末（ＰＤＡ）、無線接続能力を有するハンドヘルドデバイス、または無線モデムに接続されたその他の処理デバイスであり得る。基地局（例えば、アクセスポイント）は、１つまたは複数のセクタを介して、エアインターフェース上で無線端末と通信するアクセスネットワーク内のデバイスを指す場合がある。基地局は、受信されたエアインターフェースフレームをＩＰパケットに変換することによって、無線端末と、インターネットプロトコル（ＩＰ）ネットワークを含み得る残りのアクセスネットワークの間のルータとして機能し得る。基地局は、エアインターフェースに関する属性の管理も調整する。
【００２４】
さらに、ここで説明される様々な態様または特徴は、標準のプログラミング技術および／または工学技術を使用して、方法、装置、または製品として実施されることが可能である。ここで使用される場合、「製品」という用語は、任意のコンピュータ可読デバイス、キャリア、または媒体からアクセス可能なコンピュータプログラムを包括することが意図される。例えば、コンピュータ可読媒体は、磁気記憶デバイス（例えば、ハードディスク、フロッピー（登録商標）ディスク、磁気ストリップ・・・）、光ディスク（例えば、コンパクトディスク（ＣＤ）、ディジタル多目的ディスク（ＤＶＤ）・・・）、スマートカード、およびフラッシュメモリデバイス（例えば、カード、スティック、キーデバイス・・・）を含み得るが、これらに限定されない。
【００２５】
ここで説明される様々な技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）システム、およびその他のそのようなシステムなど、様々な無線通信システムに関して使用され得る。「システム」および「ネットワーク」という用語は、多くの場合、ここにおいて交換可能に使用される。ＣＤＭＡシステムは、ユニバーサル地上無線アクセス（ＵＴＲＡ）、ＣＤＭＡ２０００などの無線技術を実施することが可能である。ＵＴＲＡは、広帯域ＣＤＭＡ（Ｗ−ＣＤＭＡ）およびＣＤＭＡのその他の変形形態を含む。加えて、ＣＤＭＡ２０００は、ＩＳ−２０００標準、ＩＳ−９５標準、およびＩＳ―８５６標準をカバーする。ＴＤＭＡシステムは、汎欧州ディジタル移動電話方式（ＧＳＭ）などの無線技術を実施することが可能である。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（登録商標）などの無線技術を実施することが可能である。ＵＴＲＡおよびＥ−ＵＴＲＡは、ユニバーサル移動体通信システム（ＵＭＴＳ）の一部である。３ＧＰＰ長期的エボリューション（ＬＴＥ）は、ダウンリンク上でＯＦＤＭＡを用いて、アップリンク上でＳＣ−ＦＤＭＡを用いるＥ−ＵＴＲＡを使用するＵＭＴＳの次回のリリースである。ＵＴＲＡ、Ｅ−ＵＴＲＡ、ＵＭＴＳ、ＬＴＥおよびＧＳＭは、「第３世代パートナーシッププロジェクト」（３ＧＰＰ）と名づけられた組織からの文書において説明される。さらに、ＣＤＭＡ２０００およびＵＭＢは、「第３世代パートナーシッププロジェクト２」（３ＧＰＰ２）と名づけられた組織からの文書において説明される。
【００２６】
様々な態様は、いくつかのデバイス、構成要素、モジュールなどを含み得るシステムの点から提示される。様々なシステムは、追加のデバイス、構成要素、モジュールなどを含むことが可能であり、かつ／または図面に関して説明されるデバイス、構成要素、モジュールなどのすべてを含まなくてもよい点を理解および認識されたい。これらの手法の組合せが使用されることも可能である。
【００２７】
次に図を参照すると、図１は、様々な態様による無線多元接続通信システムの例である。一例では、アクセスポイント１００（ＡＰ）は複数のアンテナグループを含む。図１に例示されるように、１つのアンテナグループは、アンテナ１０４および１０６を含むことが可能であり、もう１つのアンテナグループは、アンテナ１０８および１１０を含むことが可能であり、もう１つのアンテナグループは、アンテナ１１２および１１４を含むことが可能である。それぞれのアンテナグループに関して、２本のアンテナだけが図１に示されるが、それぞれのグループに関して、より多くのアンテナまたはより少ないアンテナが利用され得る点を理解されたい。別の例では、アクセス端末１１６（ＡＴ）は、アンテナ１１２および１１４と通信中であり得、この場合、アンテナ１１２および１１４は、順方向リンク１２０上でアクセス端末１１６に情報を送信して、逆方向リンク１１８上でアクセス端末１１６から情報を受信する。加えて、かつ／またはその代わりに、アクセス端末１２２は、アンテナ１０６および１０８と通信中であり得、この場合、アンテナ１０６および１０８は、順方向リンク１２６上でアクセス端末１２２に情報を送信して、逆方向リンク１２４上でアクセス端末１２２から情報を受信する。周波数分割デュプレックス(frequency division duplex)（ＦＤＤ）システムにおいて、通信リンク１１８、１２０、１２４、および１２６は、通信のために異なる周波数を利用することができる。例えば、その場合、順方向リンク１２０は、逆方向リンク１１８によって使用される異なる周波数を使用することができる。
【００２８】
アンテナのそれぞれのグループおよび／またはアンテナが通信するために設計される領域は、アクセスポイントのセクタと呼ばれる場合がある。一態様によれば、アンテナグループは、アクセスポイント１００によってカバーされる領域のセクタ内のアクセス端末と通信するように設計され得る。順方向リンク１２０および１２６上の通信において、アクセスポイント１００の送信アンテナは、異なるアクセス端末１１６および１２２に関する順方向リンクのＳＮ比を改善する目的でビーム形成を利用することが可能である。また、その受信可能範囲の全域でランダムに分散されたアクセス端末に対して送信するためにビーム形成を使用しているアクセスポイントは、単一のアンテナを介してすべてのそのアクセス端末に送信しているアクセスポイントよりも、近隣のセル内のアクセス端末に対してより少ない干渉を引き起こさせる。
【００２９】
アクセスポイント、例えば、アクセスポイント１００は、端末と通信するために使用される固定局であってよく、基地局、ノードＢ、アクセスネットワーク、および／またはその他の適切な専門用語で呼ばれる場合もある。加えて、アクセス端末、例えば、アクセス端末１１６または１２２は、移動体端末、ユーザ装置（ＵＥ）、無線通信デバイス、端末、無線端末、および／またはその他の適切な専門用語で呼ばれる場合もある。
【００３０】
図２は、無線通信システムにおいて音声呼出の確立を容易にするシステム２００のブロック図である。一態様によれば、システム２００は、音声呼出連続性（ＶＣＣ）に対するサポートを用いて、移動体端末２６０において、音声通信セッションまたは音声通信呼出を確立するために利用され得る。ＶＣＣは、移動体端末２６０が１つのノードＢ２５２および／または２５４の受信有効範囲領域から別の受信有効範囲領域に移動するにつれて、それによって通信セッションが、そのそれぞれが通信のために異なるプロトコルを利用することが可能な無線アクセスポイント、すなわちノードＢ２５２および／または２５４の間で継ぎ目なく転送され得る技法である。一例では、ＶＣＣは、システム２００内のＶＣＣアプリケーションサーバ（ＡＳ）２１０によって管理され得る。例えば、音声呼出は、ＶＣＣ  ＡＳ２１０において「固定」されるように構成されることが可能であり、それに基づいて、ＶＣＣ  ＡＣ２１０は、ノードＢ２５２および／または２５４間のハンドオーバ動作を介して呼出を管理することができる。一例では、ＶＣＣ  ＡＳ２１０は、第１の通信プロトコルを利用する第１のノードＢから第２の通信プロトコルを利用する第２のノードＢに対する通信セッションのハンドオーバを管理することが可能である。例えば、そのようなハンドオーバは、（例えば、ボイスオーバインターネットプロトコル（ＶｏＩＰ）呼出の場合）高速パケットアクセス（ＨＳＰＡ）ネットワークから回路交換通信ネットワークに対して実施され得る。
【００３１】
一態様によれば、ＶＣＣ  ＡＳ２１０は、セッションがパケット交換（ＰＳ）無線領域内で運ばれることになるか、または回路交換（ＣＳ）無線領域内で運ばれることになるかに基づいて、通信セッションを確立するための異なる技法を利用することが可能である。一例では、音声呼出は、その他のトラヒックと共有され得るデータリンク上で、データのパケットなど、通信しているエンティティ間で、情報の転送を管理することによって、ＰＳ無線領域内で実施され得る。ＰＳ無線領域内で実施され得る音声呼出の例は、ＨＳＰＡおよび／または音声データがデータリンク上でパケットとして通信される任意のその他の適切なデータ通信プロトコルを利用しているＶｏＩＰ呼出を含む。音声呼出は、例えば、通信しているエンティティ間のパケットデータ接続を作成および／または管理するためにゲートウェイＧＰＲＳサポートノード（ＧＧＳＮ）２３２および／またはサービス提供しているＧＰＲＳサポートノード（ＳＧＳＮ）２４３を利用する汎用パケット無線サービス（ＧＰＲＳ）を使用して、ＰＳ無線領域内で実施され得る。一例では、ＧＧＳＮ２３２は、無線データ網とその他のネットワークまたはインターネットワークの間でパケットを配信するために、移動体端末２６０に通信機能性を提供している無線データ網と、インターネットおよび／または別の適切なネットワークなど、別のネットワークまたはインターネットワークの間のゲートウェイとして機能し得る。加えて、かつ／もしくはその代わりに、ＳＧＳＮ２３４は、移動体端末２６０に対しておよび／または移動体端末２６０からパケットを直接的に配信するために、ＧＧＳＮ２３２と移動体端末２６０の間で通信することが可能である。
【００３２】
したがって、ＰＳ領域内でＶｏＩＰ呼出および／または別の適切な音声呼出を確立するために、ＶＣＣ  ＡＳ２１０は、１つまたは複数のＶｏＩＰ可能なノードＢ２５４を調整する無線ネットワークコントローラ（ＲＮＣ）２４０においてページングを開始することが可能なＧＧＳＮ２３２および／またはＳＧＳＮ２３４において、ＰＳ領域呼出セットアップを命令することができる。ＲＮＣ２４０におけるページングの開始時に、ＲＮＣ２４０は、適切な移動体端末２６０の位置を突き止めるために、１つまたは複数のＶｏＩＰ可能なノードＢ２５４にページング信号を送ることが可能である。移動体端末２６０の位置を突き止めるとすぐに、ＲＮＣ２４０は、ＧＧＳＮ２３２および／またはＳＧＳＮ２３４を介してＶＣＣ  ＡＳ２１０に報告を戻し、それにより、ＶＣＣ  ＡＳ２１０を介して呼出を確立することが可能である。一例では、ＰＳ無線領域内で音声呼出が確立されると、その呼出はＰＳベアラ上で運ばれて、セッション開始プロトコル（ＳＩＰ）シグナリングによって制御され、かつ／またはＩＰマルチメディアサブシステム（ＩＭＳ）によって、ＶＣＣ  ＡＳ２１０で終了されることが可能である。
【００３３】
別の例では、音声呼出は、通信しているエンティティ間で二地点間の、固定された帯域幅の回路またはチャネルを確立して、その呼出の終結まで当該回路を維持することによって、ＣＳ無線領域内で実施され得る。ＣＳ通信セッションによって利用される（１つまたは複数の）回路のセットアップおよび管理は、例えば、モバイルスイッチングセンタ（ＭＳＣ）２２０によって実行され得る。一態様によれば、ＶＣＣ  ＡＳ２１０は、ＲＮＣ２４０においてＣＳ領域のページングを開始することが可能なＭＳＣ２２０において呼出セットアップを命令することによって、ＣＳ無線領域内で音声呼出を初期化することが可能である。一例では、ＣＳ領域のページングは、上記で説明されたＰＳ領域のページングと類似の形で、１つまたは複数のＶｏＩＰ不可能なノードＢ、すなわち「レガシー」ノードＢ２５２にページング信号を送信することによって、ＲＮＣ２４０によって実施され得る。従来のＣＳ音声呼出では、ノードＢ２５２および移動体端末２６０は、自らが呼出の終了に関与するとみなす可能性がある。しかし、ＣＳ領域内で音声呼出に対するＶＣＣサポートを提供するために、そのような呼出は、代わりに、ＶＣＣ  ＡＳ２１０において管理および／または終了されることが可能である。一例では、ＶＣＣ  ＡＳ２１０は、通常の呼出の終了をエミュレートすることによって、ＣＳ領域の音声呼出の終了を管理することができる。
【００３４】
別の態様によれば、システム２００は、レガシーノードＢ２５２およびＶｏＩＰ可能なノードＢ２５４の両方を含み得る。これにより、場合によっては、ＣＳ音声通信だけをサポートするネットワークに再配置され得るＶＣＣサポートされる呼出を、ＶｏＩＰをサポートするネットワーク上で確立すること、もしくはその逆が必要な場合または所望される場合がある。しかし、そのような例において、ＶＣＣ  ＡＳ２１０は、その呼出が確立されることになる移動体端末２６０にサービス提供しているノードＢ２５２または２５４がＶｏＩＰ機能性を提供するかどうかの知識を有さない場合がある。従来のシステムでは、そのような状況において、ＶＣＣ  ＡＳは、ＣＳ領域とＰＳ領域の両方を通じて無差別にページングすることが要求されることになり、これは、移動体端末２６０に２つの表面上独立したページを実質的に同時に受信させる可能性がある。そのようなページは、移動体端末２６０によって、衝突していると解釈される場合があり、これは、ネットワークに不要なブックキーピング（bookkeeping）ならびに／またはぶらさがりリソースおよび／もしくは類似の非効率を防ぐためのその他のオーバヘッドを負わせる可能性がある。別のそのような例では、１つまたは複数のレガシーノードＢ２５２は、低速ＰＳデータサービスをサポートすることができるが、ＶｏＩＰなどのＰＳ音声サービスをサポートすることはできない。そのようなノードＢによってサービス提供される移動体端末２６０がＰＳ領域のページを受信する場合、当該移動体端末２６０は、当該ページに応答しようと試み、ＶｏＩＰ呼出を確立しようと試みて不成功に終わる可能性がある。そのような場合、端末は、代わりに、ＰＳ呼出ではなく、ＣＳ呼出を確立することが望ましいが、通常、ＣＳページングおよびＰＳページングが無差別的に実行される場合、ＰＳページの前にＣＳページが当該端末に到着することになることを確実にする方法は存在しない。
【００３５】
上記の問題を緩和するために、ＶＣＣ  ＡＳ２１０は、レガシーノードＢ２５２およびＶｏＩＰ可能なノードＢ２５４の両方を含むネットワーク内に配置された移動体端末２６０が、現在、当該端末にサービス提供している最適な領域から単一のページを受信することを確実にするために、ここに記載された様々な態様に従って説明されるような、１つまたは複数の改善されたページング手順を利用することが可能である。一例では、これはＶＣＣがサポートされた呼出を確立するためにＲＮＣ２４０に提供されたページング要求にフラッグまたは類似の表示を加えることによって達成され得る。ページング要求と共に提供されたフラッグに基づいて、ＲＮＣ２４０は、ページング信号を無差別的にすべてのノードＢに提供する代わりに、必要に応じて、ページングをノードＢ２５２および／または２５４のサブセットに限定することが可能である。移動体端末２６０は１つのページだけを受信するため、当該移動体端末２６０は、両方の領域に対するダブルページングのリスクなしに、場合によっては、ＶｏＩＰ呼出を確立することができ、そうでない場合は、ＣＳ呼出を確立することができる。結果として、ＶＣＣ  ＡＳ２１０は、その結果として生じる呼出がＨＳＰＡネットワークからＣＳだけのネットワークに対するハンドオーバのために、またはその逆のハンドオーバのためにＶＣＣによって常に処理され得ることを確実にすることができる。限定されたページングが実行される技法は、下でさらに詳細に説明される。
【００３６】
次に、図３を参照すると、無線通信システムによって実行され得る例示的なページング手順の図３２０および３４０が示される。一例では、図３２０は、ＨＳＰＡ  ＶｏＩＰ呼出をサポートすることができない「レガシー」ノードＢ３２８だけからなる同種ネットワークに関して利用され得る手順を例示する。図３２０が例示するように、ＶＣＣ  ＡＳ３２２は、ＭＳＣ３２４にＲＮＣ３２６を経由してユーザ装置（ＵＥ）３３０にページングさせることが可能である。一例では、ＭＳＣ３２４は、Ｉｕ−ｃｓインターフェース上でＲＮＣ３２６にページング要求を中継することが可能である。受信されたページング要求に基づいて、ＲＮＣ３２６は、適切なＵＥ３３０の位置を突き止めるためにそれぞれのページング信号を中継することが可能な１つまたは複数のレガシーノードＢ３２８にページング信号を送ることが可能である。ＵＥ３３０の位置が突き止められると、ＣＳ呼出がＶＣＣ  ＡＳ３２２によって確立され得る。後に、この呼出は、ＣＳ呼出の通常の終了をエミュレートすることによって、ＶＣＣ  ＡＳ３２２によって終了され得る。
【００３７】
別の例では、図３４０は、ＶｏＩＰ可能なノードＢ３５０だけからなる同種ネットワークに関して利用され得る手順を例示する。図３４０が例示するように、ＶＣＣ  ＡＳ３４２は、そのような場合、次に、Ｉｕ−ｐｓインターフェース上でＰＳ領域のページング要求をＲＮＣ３４８に提出することが可能なＧＧＳＮ３４４および／またはＳＧＳＮ３４６において、ＵＥ３５２に対するＨＳＰＡ  ＶｏＩＰ呼出のセットアップを命令することが可能である。ページング要求に応答して、ＲＮＣ３４８は、次いで、適切なＵＥ３５２の位置を突き止めるためにそれぞれのページング信号を中継することが可能な１つまたは複数のＶｏＩＰ可能なノードＢ３５０にページング信号を通信することが可能である。ＵＥ３５２の位置が突き止められると、ＶｏＩＰ呼出は、ＵＥ３５２とのＳＩＰシグナリングの交換および／またはその他の適切な手段を介してＶＣＣ  ＡＳ３４２によって確立され得る。後に、この呼出は、ＩＭＳによって提供される１つまたは複数の手順を用いることによってＶＣＣ  ＡＳ３４２によって終了され得る。
【００３８】
図４を参照すると、無線通信システムにおいて実施され得るさらなる例示的なページングを示す図４００が提供される。一態様によれば、かつ図３の図３２０および３４０と対照的に、図４の図４００は、異種ネットワーク、例えば、ＶｏＩＰ不可能なノードＢ４２２およびＶｏＩＰ可能なノードＢ４４４の両方を含むネットワークに対するページングを例示する。図４００が例示するように、ページングは、図２〜３によって例示されるのと類似の形でＶＣＣ  ＡＳ４１０において発生し得る。ＶＣＣ  ＡＳ４１０におけるページングの初期化時に、ＣＳ無線領域におけるページング要求が図３の図３２０と類似の形でＭＳＣ４２２において発生し得る。加えて、かつ／またはその代わりに、ＰＳ無線領域におけるページング要求は、図３の図３４０と類似の形でＧＧＳＮ４２４および／またはＳＧＳＮ４２６において生成され得る。ＣＳ領域および／またはＰＳ領域のページング要求は、次いで、それぞれ、Ｉｕ−ｃｓインターフェースおよび／またはＩｕ−ｐｓインターフェースを経由してＲＮＣ４３０に中継され得る。１つまたは複数のページング要求の受信時に、ＲＮＣ４３０は、通信セッションが確立されることになるアイドルＵＥ４５０の位置を突き止めるために、（１つまたは複数の）ノードＢ４４２および／または４４４に対応する（１つまたは複数の）無線領域内でページング信号を提供することが可能である。
【００３９】
しかし、レガシーノード(legacy Node)Ｂ４４２およびＶｏＩＰ可能なノードＢ４４４が混在する、図４００によって例示されるような異種ネットワークの場合、ＶＣＣ  ＡＳ４１０、ＭＳＣ４２２、ＧＧＳＮ４２４、および／またはＳＧＳＮ４２６など、より高いネットワークノードは、ノードＢ４４２および／または４４４のうちのどのタイプが特定のＵＥ４５０にサービス提供しているかを確認する機能を有さない場合がある。したがって、従来のシステムでは、ＶＣＣ  ＡＳ４１０は、多くの場合、ＣＳ領域内およびＰＳ領域内の両方で、ノードＢ４４２および／または４４４を通じて無差別にページングすることを余儀なくされる。結果として、ＵＥ４５０は、ＶＣＣ  ＡＳ４１０によって発信された単一のページング動作の結果として、２つの明らかに独立するページを同時にまたはほぼ同時に受信する可能性がある。これは、結果として、ブックキーピングならびに／あるいはネットワークにおけるぶらさがりリソースおよび／またはその他の混乱もしくは非効率を防ぐためのその他のオーバヘッドを要求する場合がある衝突の錯覚を生み出す可能性がある
いくつかの従来のシステムは、ＰＳ領域のページングが開始および実行され、不成功に終わる場合、ＣＳ領域のページングが開始および実施される、２段階のプロセスとしてページングを実行することによって上記の問題を緩和することを試みた。しかし、レガシーノードＢ４４２がＨＳＰＡ  ＶｏＩＰをサポートしないが、それでもなお、ＰＳ無線領域内で低速データサービスおよびページングをサポートするような場合、そのようなノードＢによってサービス提供されるＵＥ４５０は、音声呼出を含めて、すべての目的で、ＰＳ領域内でページング信号を受信することが可能になる。音声呼出に対するＰＳ領域のページに応答して、ＵＥ４５０は、当該ページに応答して、ＰＳ呼出に対して確立されるように試みる。しかし、ＵＥ４５０にサービス提供しているノードＢ４４２は合理的なパフォーマンスを伴うＶｏＩＰ使用に適さないため、この呼出は失敗することになるか、またはかなり劣化したパフォーマンスを伴って続行することになることが理解され得る。そのような場合、望ましい対応は、したがって、ＵＥ４５０がＰＳ呼出ではなくＣＳ呼出を確立することであろう点が理解され得る。しかし、そのような場合、ＰＳページングは成功するため、上記で説明された通常の２段階のページングプロセスを利用するシステムにおいて、ＣＳページングは実行されないことになる。さらに、ページングが無差別に実行される場合、そのような場合に、ＣＳページが初めにＵＥ４５０に到着することを確実にするための方法は、伝統的に存在しない。
【００４０】
伝統的なページング方法のこれらの欠点および／またはその他の欠点を克服するために、かつ一態様によれば、図４００によって例示されるシステムは、音声呼出が確立されることになるＵＥ４５０が、現在ＵＥ４５０にサービス提供しているノードＢ４４２または４４４に基づいて、音声呼出に最適な領域内で正確に１つのページを受信することを確実にすることが可能である。一例では、ＭＳＣ４２２、ＧＧＳＮ４２４、ＳＧＳＮ４２６、および／またはＲＮＣ４３０は、音声呼出を確立するためにそれぞれのエンティティによって中継されたページング信号に関して、ＶＣＣフラッグもしくはその他の表示を生成および／または利用するように構成され得る。したがって、ページング要求が、関連するＶＣＣフラッグを伴ってＲＮＣ４３０によって受信された場合、ＲＮＣ４３０は、すべてのノードＢ４４２および４４４を通じて無差別にページングするのではなく、そのそれぞれの能力に基づいて、ノードＢ４４２および／または４４４のサブセットのページングを実施することが可能である。これらの目的の達成のために利用され得る技法の様々な例は、下記のとおり説明される。これらの技法は、ここにおいて、「スプリットページング(split paging)」および「順次ページング(sequential paging)」と呼ばれ、それぞれ、図５および図６によって例示される。
【００４１】
一態様によれば、図５のメッセージ流れ図５００は、図４００によって例示されたようなシステムにおいて、ＶＣＣがサポートされた音声呼出を確立するためのスプリットページング技術を例示する。一例では、スプリットページングを利用しているＶＣＣ  ＡＳ５０２は、ＣＳ領域内およびＰＳ領域内でページングを同時にトリガすることが可能である。しかし、伝統的なページング技術と異なり、結果として生じるページは、次いで、ＰＳページはＶｏＩＰ可能なノードＢ５１０だけに進み、ＣＳページはＶｏＩＰ不可能なノードＢ５１２だけに進むように、選択的に配信されることが可能である。一例では、ページングは、ＣＳ領域内およびＰＳ領域内で呼出セットアップメッセージを使用して、ＶＣＣ  ＡＳ５０２によってトリガされ得る。図５００は、読み易さのために、識別可能な一連の伝送としてＣＳページングおよびＰＳページングを例示するものの、図５００によって例示されるＣＳページングおよびＰＳページングは、実質的に同時にまたはほぼ同時に発生し得る点を理解されたい。
【００４２】
別の態様によれば、ＶＣＣ  ＡＳ５０２からのＣＳ領域およびＰＳ領域の呼出セットアップメッセージは、次いで、それぞれの無線領域内でページングメッセージをＲＮＣ５０８に中継することが可能なＭＳＣ５０４ならびにＧＧＳＮおよび／またはＳＧＳＮ５０６においてそれぞれ受信され得る。一例では、ページングメッセージは、それぞれのＩｕインターフェース上の無線アクセスネットワークアプリケーションパート(Radio Access Network Application Part)（ＲＡＮＡＰ）プロトコルに従って、ＭＳＣ５０４ならびにＧＧＳＮおよび／またはＳＧＳＮ５０６によって通信され得る。さらに、図５００によって例示されるように、Ｉｕ−ｃｓインターフェース上でＭＳＣ５０４によって通信されたページングメッセージならびにＩｕ−ｐｓインターフェース上でＧＧＳＮおよび／またはＳＧＳＮ５０６によって通信されたページングメッセージは、それぞれのページングメッセージに応答して通信されたページが、あるノードＢ５１０および／または５１２に限定されるべきであることを示すＶＣＣフラッグ（例えば、ＶＣＣ＿ＦＬＡＧ）を含むように修正されることが可能である。
【００４３】
一例では、ＶｏＩＰ可能なノードＢ５１０ならびにレガシーノードＢ５１２は両方とも、単一のＲＮＣ５０８によって管理されることが可能である。これにより、従来のシステムにおいて、ＲＮＣ５０８で、ＭＳＣ５０４ならびにＧＧＳＮおよび／またはＳＧＳＮ５０６からそれぞれ受信された２つのページングメッセージのそれぞれは、通常、２つのページングタイプ１メッセージ（それぞれのノードＢ５１０および５１２に対して１つ）をトリガすることになる。対照的に、それぞれのページングメッセージ内に含まれたＶＣＣフラッグは、ＣＳページがレガシーノードＢ５１２だけに進み、ＰＳページがＶｏＩＰ可能なノードＢ５１０だけに進むように、この行動を抑圧することが可能である。したがって、ＶＣＣフラッグは、所与のノードＢ、および、その結果として、そのノードＢによってサービス提供されるそれぞれのＵＥが、ノードＢにおいて音声呼出を実施するための最適な領域に基づいて、単一のページだけを受信することを可能にする点を理解されたい。例えば、そのサービス提供しているノードＢが、ＰＳ音声通信可能な場合、ＵＥはＰＳ領域のページを受信することになり、または、そうでない場合、ＣＳ領域のページを受信することになる。一態様によれば、それぞれのノードＢ５１０および／もしくは５１２のＶｏＩＰ能力に関する情報は、ノードＢならびに／または別の適切なネットワークエンティティによってＲＮＣ５０８に通信されることが可能であり、かつ／あるいは、そうでない場合、ＲＮＣ５０８によって先験的に知られることが可能である。
【００４４】
もう１つの態様によれば、図６のメッセージ流れ図６００は、図４００によって例示されたようなシステムにおいてＶＣＣがサポートされた音声呼出を確立するための順次ページング技術を例示する。図６００が例示するように、ＶＣＣ  ＡＳ６０２は、次いで、Ｉｕ−ｐｓインターフェース上でＲＮＣ６０８にページングメッセージを中継することが可能なＧＧＳＮおよび／またはＳＧＳＮ６０６に呼出セットアップメッセージを送ることによって、ＣＳ領域におけるページングに先立ってＰＳ領域におけるページングを開始することが可能である。一例では、ＲＮＣ６０８によって受信されたページングメッセージは、図５００によって例示されたスプリットページング技術におけるページングメッセージと類似した形でＶＣＣフラッグを含み得る。ＶＣＣフラッグに基づいて、ＲＮＣ６０８は、ページングタイプ１信号をＶｏＩＰ可能なノードＢ６１０だけに中継することが可能である。一態様によれば、ＰＳページが応答を作成しない場合、音声呼出が確立されることになるＵＥは、ＶｏＩＰ可能なノードＢ６１０ではなく、ＶｏＩＰ不可能なノードＢ、すなわちレガシーノードＢ６１２によってサービス提供されていると推定され得る。したがって、当該ＵＥに対する標準のＣＳ領域のページは、ＶＣＣ  ＡＳ６０２によって発信されて、レガシーノードＢ６１２を経由してＵＥに中継されることが可能である。
【００４５】
図６００によって例示される、特定の、非限定的な例では、ページングが実行されているＵＥは、レガシーノードＢ６１２によってサービス提供されている。したがって、当該ＵＥは、ＲＮＣ６０８に提出されたＰＳページング要求に関連するＶＣＣフラッグによって、ＶｏＩＰ可能なノードＢ６１０だけに限定されているＰＳ領域のページングを受信せず、かつ当該ページに応答しない。その場合、ネットワークは、ＰＳページがＵＥによる応答を受信しなかったことを様々な形で決定することができる。例えば、ＲＮＣ６０８および／またはＶｏＩＰ可能なノードＢ６１０は、ページング信号の伝送から経過した時間量を測定するタイマを維持することが可能である。所定の時間量内にＵＥから応答が受信されない場合、（例えば、ＧＧＳＮおよび／またはＳＧＳＮ６０６を経由して）失敗通知がＶＣＣ  ＡＳ６０２に通信され得る。あるいは、タイマは、ＧＧＳＮおよび／もしくはＳＧＳＮ６０６またはＶＣＣ  ＡＳ６０２自体において維持されることが可能であり、これは、所定の時間量内に当該ページに対するＵＥ応答の肯定応答がＲＮＣ６０８から受信されない場合、ＰＳページに関して応答が受信されていないという決定の基礎を形成し得る。しかし、これらの技法は、限定ではなく例として提供され、その他の技法も利用され得る点を理解されたい。上記の説明と対照的に、ＵＥがＰＳページに応答する場合、呼出は、さらなる活動を要求せずに、ＶｏＩＰ呼出としてセットアップされ得るため、後続のＣＳページは必要でないことが図６００から観察され得る。さらに、ＣＳ領域におけるページングに何らの修正なしに、順次ページングが実行され得る点が図６００から観察され得る。これにより、図６００が例示するように、ＣＳページが開始された時点で、ＵＥはＶｏＩＰ可能なノードＢ６１０によってサービス提供されていないことがすでに決定されているので、ＣＳページはＶｏＩＰ可能なノードＢ６１０ならびにレガシーノードＢ６１２に通信され得るため、後続のＣＳページに対してＶＣＣフラッグは不要である。
【００４６】
図７〜１０を参照すると、ここで記載される様々な態様に従って実行され得る方法が例示される。説明を簡単にするために、これらの方法は、一連の活動として示され、説明されるものの、１つまたは複数の態様によれば、いくつかの活動は、ここにおいて示され、説明されるのとは異なる順序でかつ／または他の活動と同時に発生することが可能であるため、これらの方法は、活動の順序に限定されない点を理解および認識されたい。例えば、当業者は、方法は、あるいは、状態図におけるように、一連の相互に関係する状態または事象として表されることが可能である点を理解および認識されよう。さらに、１つまたは複数の態様に従って方法を実施するために、すべての例示された活動が要求されるとは限らない。
【００４７】
図７を参照すると、例示されるのは、無線通信システム（例えば、システム２００）内でページングを実行するための方法７００である。方法７００は、例えば、ＶＣＣプラットフォーム（例えば、ＶＣＣ  ＡＳ２１０）、ＭＳＣ（例えば、ＭＳＣ２２０）、ＧＰＲＳサポートノード（例えば、ＧＧＳＮ２３２および／もしくはＳＧＳＮ２３４）、ならびに／または任意のその他の適切なネットワークエンティティによって実行され得る点を理解されたい。方法７００は、例えば、無線通信システム内に配置された移動体端末（例えば、移動体端末２６０）においてＶＣＣがサポートされた音声呼出を確立するために利用され得る。方法７００は、ＰＳ音声通信可能な１つまたは複数の基地局（例えば、ＶｏＩＰ可能なノードＢ２５４）ならびにＰＳ音声通信不可能な１つまたは複数の基地局（例えば、レガシーノードＢ２５２）を含むネットワーク内の移動体端末に対してＣＳ領域内およびＰＳ領域内でページングが開始されるブロック７０２で始まる。一例では、ＰＳ音声通信機能性は、例えば、ＶｏＩＰおよび／または任意のその他の適切なＰＳ音声通信プロトコルに基づいて、可能な基地局によって提供されることが可能である。さらに、ページングは、ＶＣＣ  ＡＳ、ＭＳＣ、ＧＧＳＮ、ＳＧＳＮ、および／または任意のその他の適切なネットワークエンティティによって通信される１つまたは複数の呼出セットアップメッセージによって、ブロック７０２において開始され得る。
【００４８】
ブロック７０２において説明された活動の完了時に、方法７００は、移動体端末が、ＰＳ音声通信可能な基地局によってサービス提供される場合、ＣＳページング要求およびＰＳページング要求のうちの１つまた複数が、単一のＰＳページング信号をブロック７０２において識別された移動体端末に通信させ、そうでない場合、単一のＣＳページング信号を当該移動体端末に通信させるように構成されるブロック７０４に進むことができる。一態様によれば、ブロック７０４におけるページング要求の構成は、単一のページング信号が音声通信のために当該端末に利用可能な最適な無線領域内の移動体端末に通信されることを可能にし、それにより、上記で説明された従来のページング技術に関連する問題を緩和する。一例では、ページング要求は、ブロック７０４において、フラッグまたはそのページング要求がＶＣＣがサポートされた音声呼出を確立するために通信されているという別の表示を含むように構成され得る。フラッグまたはその他の提供された表示が、そのようなページング要求において設定される場合、当該ページング要求は、当該要求に応答するページングを当該ページング要求に対応する無線領域が音声通信に最適な基地局だけに限定することを容易にすることが可能である。例えば、ＶＣＣ表示を伴うＰＳ領域のページング要求は、ページングをＶｏＩＰ可能にされた基地局だけに限定し、一方、ＶＣＣ表示を伴うＣＳ領域のページング要求は、ページングをＶｏＩＰ可能にされない基地局だけに限定することが可能である。
【００４９】
次に、図８を参照すると、無線通信システム内でページングを実施するための追加の方法８００が例示される。方法７００は、例えば、ＶＣＣコントローラ（例えば、ＶＣＣ  ＡＳ５０２）、ＭＳＣ（例えば、ＭＳＣ５０４）、ＧＰＲＳサポートノード（例えば、ＧＧＳＮ／ＳＧＳＮ５０６）、および／または任意のその他の適切なネットワークエンティティによって実行され得る点を理解されたい。方法８００は、例えば、無線通信システム内に配置された移動体端末においてＶＣＣがサポートされた通信セッションを確立するために利用され得る。方法８００は、ＶｏＩＰ可能なノードＢ（例えば、ノードＢ５１０）およびＶｏＩＰ不可能なノードＢ（例えば、ノードＢ５１２）の両方を含むネットワーク内に配置された移動体端末に対してページングがＣＳ領域内およびＰＳ領域内で同時に開始されるブロック８０２で始まる。一例では、ページングは、ＶＣＣコントローラ、ＭＳＣ、ＧＰＲＳサポートノード、（例えば、ＶＣＣコントローラからＭＳＣまたはＧＰＲＳサポートノードに通信された呼出セットアップメッセージを介した）それらの組合せ、および／または任意のその他の適切なネットワークエンティティによって開始され得る。
【００５０】
ブロック８０２において説明された活動の完了時に、方法は、ＣＳページング信号はＶｏＩＰ不可能なノードＢだけに通信されることになるという表示、およびＰＳページング信号はＶｏＩＰ可能なノードＢだけに通信されることになるという表示のそれぞれを含むＣＳページング要求およびＰＳページング要求がＲＮＣ（例えば、ＲＮＣ５０８）に中継されるブロック８０４で終結し得る。一態様によれば、ページング要求は、ブロック８０４において、Ｉｕインターフェース上でＲＮＣに通信され得る。例えば、ＣＳページング要求は、Ｉｕ−ｃｓインターフェース上でＭＳＣから通信されることが可能であり、ＰＳページング要求は、Ｉｕ−ｐｓインターフェース上でＧＧＳＮおよび／またはＳＧＳＮから通信されることが可能である。一例では、ブロック８０４においてページング要求と共に提供された表示は、ＶＣＣがサポートされた呼出の確立のために、関連するページング要求がＲＮＣに通信されていることを示すために、フラッグビットおよび／またはその他の適切な手段、を備え得る。これらの表示に基づいて、ＲＮＣは、次いで、要求された領域における応答するページングをその要求された領域が音声通信に最適なネットワーク内のノードＢだけに限定することが可能である。これにより、例えば、ＣＳページング信号は、ＶｏＩＰ不可能なノードＢに通信されることが可能であり、一方、ＰＳページング信号は、ＶｏＩＰ可能なノードＢに通信されることが可能である。このようにページングを限定することによって、ダブルページングおよび／または不正確なページングかつ／もしくは最適下限の無線領域におけるページングなど、従来のページング技術の多くの欠点が緩和され得る。
【００５１】
図９は、無線通信システム内でページングを実施するためのさらなる方法９００を例示する。方法９００は、例えば、ＶＣＣサーバ（例えば、ＶＣＣ  ＡＳ６０２）、ＭＳＣ（例えば、ＭＳＣ６０４）、ＧＰＲＳサポートノード（例えば、ＧＧＳＮ／ＳＧＳＮ６０６）、および／または任意のその他の適切なネットワークエンティティによって実行され得る。方法９００は、例えば、無線通信システム内に配置されたＵＥにおいてＶＣＣがサポートされた呼出を確立するために利用され得る。方法９００は、ＶｏＩＰ可能なノードＢ（例えば、ノードＢ６１０）およびＶｏＩＰ不可能なノードＢ（例えば、ノードＢ６１２）の両方を含むネットワーク内に配置されたＵＥに対してＰＳ領域のページングが開始されるブロック９０２で始まる。ＰＳ領域のページングは、例えば、ＶＣＣサーバ、ＧＰＲＳサポートノード、（例えば、ＶＣＣサーバからＧＰＲＳサポートノードに通信された呼出セットアップメッセージを介した）それらの組合せ、および／または任意のその他の適切なネットワークエンティティによってブロック９０２において開始され得る。
【００５２】
方法９００は、次いで、応答するＰＳページング信号をＶｏＩＰ可能なノードＢだけに限定するＰＳページング要求がＲＮＣに中継されるブロック９０４に進むことができる。一態様によれば、ＰＳページング要求は、ブロック９０４において、Ｉｕ−ｐｓインターフェース上でＶＣＣサーバおよび／またはＧＰＲＳサポートノードによってＲＮＣに通信され得る。さらに、ブロック９０４においてＰＳページング要求と共に提供された表示は、ＶＣＣがサポートされた呼出の確立のためにＰＳページング要求がＲＮＣに中継されていることを示すためのフラッグビットおよび／または任意のその他の適切な手段を含み得る。
【００５３】
ブロック９０４において説明された活動の完了後、ブロック９０４においてＲＮＣに中継されたページング要求に応答するＲＮＣによるページングに続いて、方法９００は、ＲＮＣによって通信されたページング信号に対する応答がＵＥから受信されているかどうかが決定されるブロック９０６に進むことができる。ブロック９０６における決定は、タイマベースであってよく、または通知ベースであってもよい。例えば、ＶＣＣサーバおよび／またはＧＰＲＳサポートノードは、ＵＥ応答が受信されているかどうかの決定の基礎を当該ＵＥがページング信号に応答したまたは応答しなかったというＲＮＣからの明示的な表示に置くことが可能である。加えて、かつ／もしくはその代わりに、ＶＣＣサーバおよび／またはＧＰＲＳサポートノードは、ＵＥが応答したという通知を受信せずに所定の期間が終了した場合、当該ＵＥがページングに応答しなかったという結論を下すことができる。
【００５４】
ブロック９０６において、ＵＥがＰＳ領域のページングに応答したことが決定された場合、方法９００は終結する。そうでない場合、方法９００は、ＵＥに対してＣＳ領域のページングが実施されるブロック９０８に進む。一態様によれば、ブロック９０４において中継されたＰＳページング要求と共に提供された表示は、応答するページング要求をＶｏＩＰ可能なノードＢだけに限定する。したがって、ページング要求に基づいて通信されたページング要求に対する応答がＵＥから受信されない場合、当該ＵＥは、ＶｏＩＰ通信をサポートしないノードＢに配置されることが推定され得る。結果として、ＵＥに対するページングは、次いで、ＣＳ通信セッションを確立するために、ＣＳ無線領域内で実施され得る。一態様によれば、ブロック９０８で、ＣＳ領域のページングは、当技術分野で一般に知られている任意の適切な形で実施され得る。しかし、ＰＳ領域のページングはブロック９０４においてＶｏＩＰ可能なノードＢだけに限定されるため、ＵＥにおける冗長ページングおよび／またはＰＳページングをＶｏＩＰ不可能なノードＢに提供することに関連する問題など、従来のページング技術の様々な欠点は、ブロック９０８においてＣＳページングに対する修正を要求せずに緩和され得る点を理解されたい。
【００５５】
図１０を参照すると、移動体端末（例えば、移動体端末２６０）と音声呼出を確立するための方法１０００が例示される。方法１０００は、例えば、ＲＮＣ（例えば、ＲＮＣ２４０）および／または任意のその他の適切なネットワークエンティティによって実行され得る点を理解されたい。方法１０００は、ページングが、ＶｏＩＰ可能なＡＰ（例えば、ノードＢ２５４）およびＶｏＩＰ不可能なＡＰ（例えば、ノードＢ２５２）の両方を含むネットワーク内の移動体端末に対してＶＣＣを確立するために実行されることになることを示すＰＳ領域のページング要求またはＣＳ領域のページング要求の１つまたは複数が受信されるブロック１００２で始まる。ＰＳ領域のページング要求は、例えば、ＶＣＣ  ＡＳ（例えば、ＶＣＣ  ＡＳ２１０）、ＧＧＳＮ（例えば、ＧＧＳＮ２３２）、ＳＧＳＮ（例えば、ＳＧＳＮ２３４）、および／または任意のその他の適切なネットワークエンティティから受信され得る。加えて、かつ／またはその代わりに、ＣＳ領域のページング要求は、例えば、ＶＣＣ  ＡＳ、ＭＳＣ（例えば、ＭＳＣ２２０）、および／または任意のその他の適切なエンティティから受信され得る。一態様によれば、ページング要求は、（例えば、図５００によって例示されるように）実質的に同時にかつ／または（図６００によって例示されるように）異なる時間間隔で受信されることが可能である。別の態様によれば、ＶＣＣ表示は、ブロック１００２において受信されたすべてのページング要求に満たないページング要求において提供され得る。例えば、ＶＣＣ表示を伴うＰＳ領域のページング要求およびＶＣＣ表示を伴わないＣＳ領域のページング要求、またはその逆が、ブロック１００２において受信され得る。
【００５６】
方法１０００は、次いで、ブロック１００２において識別された移動体端末が、ＶｏＩＰ可能なＡＰによってサービス提供されている場合、当該移動体端末が単一のＰＳページング信号を受信し、そうでない場合、単一のＣＳページング信号を受信するように、ページング信号がそれぞれのＡＰに送信されるブロック１００４に進む。一例では、ページング信号がブロック１００４において送信される様式は、ブロック１００２においてページング要求に提供されたＶＣＣ表示に基づき得る。例えば、ブロック１００２において、ＶＣＣ表示と共に受信されたＰＳ領域のページング要求に応答して送信されたＰＳページング信号は、ＶｏＩＰをサポートするＡＰだけに限定されることが可能であり、ブロック１００２において、ＶＣＣ表示と共に受信されたＣＳ領域のページング要求に応答して送信されたＣＳページング信号は、ＶｏＩＰをサポートしないＡＰだけに限定されることが可能である。さらに、ページング信号は、単一の動作において送信されることが可能であり（例えば、図５００によって例示されるように、ＰＳページはＶｏＩＰ可能なＡＰおよびＶｏＩＰ不可能なＡＰに同時に送信され得る）または、一連の動作として送信されることが可能である（例えば、図６００によって例示されるように、応答が受信されない場合、ＰＳページは、まずＶｏＩＰ可能なＡＰに送信され、その後に、無限定のＣＳページがすべてのＡＰに送信され得る）。結果として、移動体端末は、常に、正確に１つのページを受信することになり、当該端末は音声呼出のために効果的に利用され得ない無線領域に対するページを取得することは決してない可能性をますます高めることができる。
【００５７】
次に、図１１を参照すると、ここで説明される１つまたは複数の実施形態が機能し得る例示的な無線通信システム１１００を示すブロック図が提供される。一例では、システム１１００は、送信機システム１１１０および受信機１１５０を含む多入出力（ＭＩＭＯ）システムである。しかし、送信機システム１１１０および／または受信機システム１１５０は、例えば、（例えば、基地局上の）複数の送信アンテナが１つまたは複数のシンボル流れを単一のアンテナデバイス（例えば、移動局）に送信することが可能な多入力単一出力システムに適用されることも可能である点を理解されたい。加えて、ここで説明される送信機システム１１１０および／または受信機システム１１５０の態様は、単一出力単一入力アンテナシステムに関して利用され得る点を理解されたい。
【００５８】
一態様によれば、いくつかのデータ流れに関するトラヒックデータは、送信機システム１１１０において、データソース１１１２から送信（ＴＸ）データプロセッサ１１１４に提供される。一例では、それぞれのデータ流れは、次いで、それぞれの送信アンテナ１１２４を経由して送信され得る。加えて、ＴＸデータプロセッサ１１１４は、符号化されたデータを提供する目的で各それぞれのデータ流れに関して選択された特定のコーディング方式に基づいて、それぞれのデータ流れに関するトラヒックデータをフォーマット、符号化、およびインタリーブすることが可能である。一例では、それぞれのデータ流れに関して符号化されたデータは、次いで、ＯＦＤＭ技術を使用してパイロットデータを用いて多重化され得る。パイロットデータは、例えば、知られている様式で処理される、知られているデータパターンであり得る。さらに、パイロットデータは、チャネル応答を推定するために受信機システム１１５０において使用され得る。送信機システム１１１０に戻ると、それぞれのデータ流れに関して多重化されたパイロットデータおよび符号化されたデータは、変調シンボルを提供する目的で各それぞれのデータ流れに関して選択された特定の変調方式（例えば、ＢＰＳＫ、ＱＳＰＫ、Ｍ−ＰＳＫ、またはＭ−ＱＡＭ）に基づいて変調（例えば、シンボルマップ）され得る。一例では、それぞれのデータ流れに関するデータ転送速度、コーディング、および変調は、プロセッサ１１３０上で実行されかつ／またはプロセッサ１１３０によって提供された命令によって決定され得る。
【００５９】
次に、すべてのデータ流れに関する変調シンボルは、（例えば、ＯＦＤＭの場合）変調シンボルをさらに処理することが可能なＴＸプロセッサ１１２０に提供され得る。ＴＸ  ＭＩＭＯプロセッサ１１２０は、次いで、ＮＴ個の変調シンボル流れをＮＴ個のトランシーバ１１２２ａないし１１２２ｔに提供することが可能である。一例では、それぞれのトランシーバ１１２２は、１つまたは複数のアナログ信号を提供するために、それぞれのシンボル流れを受信および処理することが可能である。次いで、それぞれのトランシーバ１１２２は、ＭＩＭＯチャネル上での伝送に適した変調信号を提供するために、アナログ信号をさらに調整（例えば、増幅、フィルタリング、およびアップコンバート）することが可能である。したがって、トランシーバ１１２２ａないし１１２２ｔからのＮＴ個の変調信号は、それぞれ、ＮＴ本のアンテナ１１２４ａないし１１２４ｔから送信され得る。
【００６０】
もう１つの態様によれば、送信された変調信号は、受信機システム１１５０において、ＮＲ本のアンテナ１１５２ａないし１１５２ｒによって受信され得る。それぞれのアンテナ１１５２から受信された信号は、次いで、それぞれのトランシーバ１１５４に提供され得る。一例では、それぞれのトランシーバ１１５４は、それぞれの受信信号を調整（例えば、フィルタリング、増幅、およびダウンコンバート）して、サンプルを提供するために調整された信号をディジタル化し、次いで、対応する「受信された」シンボル流れを提供するために、当該サンプルを処理することが可能である。次いで、ＲＸ  ＭＩＭＯ／データプロセッサ１１６０は、ＮＴ個の「検出された」シンボル流れを提供するための特定の受信機処理技術に基づいて、ＮＲ個のトランシーバ１１５４からＮＲ個のシンボル流れを受信して、受信されたＮＲ個のシンボル流れを処理することが可能である。一例では、それぞれの検出されたシンボル流れは、対応するデータ流れに関して送信された変調シンボルの推定であるシンボルを含み得る。次いで、ＲＸプロセッサ１１６０は、対応するデータ流れに関するトラヒックデータを回復するために、少なくとも一部、それぞれの検出されたシンボル流れを復調、ディインタリーブ、および復号することによって、それぞれのシンボル流れを処理することが可能である。したがって、ＲＸプロセッサ１１６０による処理は、送信機システム１１１０においてＴＸ  ＭＩＭＯプロセッサ１１２０およびＴＸデータプロセッサ１１１４によって実行された処理に対して補完的であり得る。ＲＸプロセッサ１１６０は、加えて、処理されたシンボル流れをデータシンク１１６４に提供することが可能である。
【００６１】
一態様によれば、ＲＸプロセッサ１１６０によって生成されたチャネル応答推定は、受信機において空間／時間処理を実行するため、電力レベルを調整するため、変調レートもしくは変調方式を変更するため、かつ／またはその他の適切な活動のために使用されることが可能である。加えて、ＲＸプロセッサ１１６０は、例えば、検出されたシンボル流れの信号対雑音干渉比（ＳＮＲ）などのチャネル特性をさらに推定することが可能である。次いで、ＲＸプロセッサ１１６０は、推定されたチャネル特性をプロセッサ１１７０に提供することが可能である。一例では、ＲＸプロセッサ１１６０および／またはプロセッサ１１７０は、システムに関する「動作」ＳＮＲの推定をさらに導出することができる。次いで、プロセッサ１１７０は、通信リンクおよび／または受信されたデータ流れに関する情報を備え得るチャネル状態情報（ＣＳＩ）を提供することが可能である。この情報は、例えば、動作ＳＮＲを含み得る。次いで、ＣＳＩは、ＴＸデータプロセッサ１１１８によって処理されて、変調器１１８０によって変調され、トランシーバ１１５４ａないし１１５４ｒによって調整されて、送信機システム１１１０に送信し戻されることが可能である。加えて、受信機システム１１５０において、データソース１１１６は、ＴＸデータプロセッサ１１１８によって処理されることになる追加のデータを提供することが可能である。
【００６２】
送信機システム１１１０に戻ると、受信機システム１１５０からの変調信号は、次いで、アンテナ１１２４によって受信されて、トランシーバ１１２２によって調整され、復調器１１４０によって復調されて、受信機システム１１５０によって報告されたＣＳＩを回復するために、ＲＸデータプロセッサ１１４２によって処理されることが可能である。一例では、報告されたＣＳＩは、次いで、プロセッサ１１３０に提供されて、データ転送速度ならびに１つまたは複数のデータ流れのために使用されることになるコーディング方式および変調方式を決定するために使用され得る。決定されたコーディング方式および変調方式は、次いで、量子化および／または受信機システム１１５０に対する後の伝送向けの使用のためにトランシーバ１１２２に提供され得る。加えて、かつ／またはその代わりに、報告されたＣＳＩは、ＴＸデータプロセッサ１１１４およびＴＸ  ＭＩＭＯプロセッサ１１２０に関する様々な制御を生成するためにプロセッサ１１３０によって使用され得る。別の例では、ＣＳＩおよび／またはＲＸデータプロセッサ１１４２によって処理されるその他の情報は、データシンク１１４４に提供されることが可能である。
【００６３】
一例では、送信機システム１１１０におけるプロセッサ１１３０および受信機システム１１５０におけるプロセッサ１１７０は、そのそれぞれのシステムにおいて動作を指令する。加えて、送信機システム１１１０におけるメモリ１１３２および受信機システム１１５０におけるメモリ１１７２は、それぞれ、プロセッサ１１３０および１１７０によって使用されるプログラムコードおよびプログラムデータに関する記憶を提供することが可能である。さらに、受信機システム１１５０において、ＮＴ個の送信されたシンボル流れを検出する目的でＮＲ個の受信された信号を処理するために、様々な処理技術が使用され得る。これらの受信機処理技術は、等化技術と呼ばれる場合もある空間受信機処理技術および時空受信機処理技術、および／または「連続的な干渉除去」受信機処理技術もしくは「連続的な除去」受信機処理技術と呼ばれる場合もある「連続的なヌリング（nulling）／等化および干渉除去」受信機処理技術を含み得る。
【００６４】
図１２は、無線通信システム（例えば、システム２００）において音声呼出の開始を容易にする装置１２００を例示する。装置１２００は、プロセッサ、ソフトウェア、またはそれらの組合せ（例えば、ファームウェア）によって実施される機能を表す機能ブロックであり得る機能ブロックを含むとして表される点を理解されたい。装置１２００は、ＶＣＣプラットフォーム（例えば、ＶＣＣ  ＡＳ２１０）、ＭＳＣ（例えば、ＭＳＣ２２０）、ＧＰＲＳサポートノード（例えば、ＧＧＳＮ２３２および／もしくはＳＧＳＮ２３４）、ならびに／または任意のその他の適切なネットワークエンティティにおいて実施されることが可能であり、１つもしくは複数のＶｏＩＰ可能な基地局および１つもしくは複数のＶｏＩＰ不可能な基地局を含むネットワーク内の端末に対してＣＳ領域およびＰＳ領域のページングを開始するためのモジュール１２０２を含み得る。装置１２００は、端末がＶｏＩＰ可能な基地局の受信可能範囲領域内に配置された場合、単一のＰＳページング信号が当該端末に通信され、そうでない場合、単一のＣＳページング信号が当該端末に通信されるように、ＣＳページング要求またはＰＳページング要求の１つもしくは複数を提供するためのモジュール１２０４をさらに含み得る。
【００６５】
図１３は、無線通信システムにおいて音声呼出の開始を容易にする別の装置１３００を例示する。装置１３００は、プロセッサ、ソフトウェア、またはそれらの組合せによって実施される機能を表す機能ブロックであり得る機能ブロックを含むとして表される。装置１３００は、ＶＣＣサーバ、ＭＳＣ、ＧＰＲＳサポートノード、および／または任意のその他の適切なネットワークエンティティにおいて実施されることが可能であり、ＶｏＩＰ可能なノードＢおよびＶｏＩＰ不可能なノードＢの両方を含むネットワーク内に配置されたＵＥに対してＣＳ領域およびＰＳ領域のページングを同時に開始するためのモジュール１３０２を含み得る。装置１３００は、ＣＳページング信号はＶｏＩＰ不可能なノードＢだけに通信されることになるという表示、およびＰＳページング信号はＶｏＩＰ可能なノードだけに通信されることになるという表示のそれぞれを含むＣＳページング要求およびＰＳページング要求を無線ネットワークコントローラに中継するためのモジュール１３０４をさらに含み得る。
【００６６】
図１４は、無線通信システムにおいて音声呼出の開始を容易にする追加の装置１４００を例示する。装置１４００は、プロセッサ、ソフトウェア、またはそれらの組合せによって実施される機能を表す機能ブロックであり得る機能ブロックを含むとして表される。装置１４００は、ＶＣＣコントローラ、ＭＳＣ、ＧＰＲＳサポートノード、および／または任意のその他の適切なネットワークエンティティにおいて実施されることが可能であり、ＶｏＩＰ可能なノードＢおよびＶｏＩＰ不可能なノードＢの両方を含むネットワーク内に配置されたアクセス端末に対するＰＳ領域のページングを開始するためのモジュール１４０２と、応答するＰＳページング信号をＶｏＩＰ可能なノードＢだけに限定するＰＳページング要求を無線ネットワークコントローラに中継するためのモジュール１４０４と、ＰＳ領域のページングが不成功に終わった場合、当該アクセス端末に対してＣＳ領域のページングを実施するためのモジュール１４０６とを含み得る。
【００６７】
図１５は、無線通信システム内の端末に対するページングを容易にする装置を例示する。装置１５００は、プロセッサ、ソフトウェア、またはそれらの組合せによって実施される機能を表す機能ブロックであり得る機能ブロックを含むとして表される。装置１５００は、ＲＮＣ（例えば、ＲＮＣ２４０）および／または任意のその他の適切なネットワークエンティティにおいて実施されることが可能であり、ＶＣＣがＶｏＩＰ可能なノードＢおよびＶｏＩＰ不可能なノードＢの両方を含むネットワーク内の端末に対して確立されることになることを示す、ＰＳ領域のページング要求またはＣＳ領域のページング要求のうちの１つまたは複数を識別するためのモジュール１５０２を含み得る。装置１５００は、端末がＶｏＩＰ可能なノードＢによってサービス提供されている場合、当該端末が単一のＰＳページング信号を受信し、そうでない場合、単一のＣＳページング信号を受信するように、（１つまたは複数の）ページング要求に応答して、ページング信号をそれぞれのノードＢに送信するためのモジュール１５０４をさらに含み得る。
【００６８】
ここに説明された態様は、ハードウェア、ソフトウェア、ファームウェア、ミドルウェア、マイクロコード、またはそれらの任意の組合せによって実施され得る点を理解されたい。これらのシステムおよび／もしくは方法がソフトウェア、ファームウェア、ミドルウェアまたはマイクロコード、プログラムコードあるいはコード区分において実施される場合、これらのシステムおよび／もしくは方法は、記憶構成要素などの機械可読媒体内に記憶され得る。コード区分は、手順、関数、サブプログラム、プログラム、ルーチン、サブルーチン、モジュール、ソフトウェアパッケージ、クラス、または命令、データ構造、もしくはプログラム文の任意の組合せを表し得る。コード区分は、情報、データ、引数、パラメータ、もしくはメモリコンテンツを渡すことおよび／または受信することによって、別のコード区分あるいはハードウェア回路に結合されることが可能である。情報、引数、パラメータ、データなどは、メモリ共有、メッセージパッシング、トークンパッシング、 ネットワーク伝送などを含む任意の適切な手段を使用して、渡され、転送され、または送信されることが可能である。
【００６９】
ソフトウェアインプリメンテーション(software implementation)の場合、ここで説明された技法は、ここで説明された機能を実行するモジュール（例えば、手順、関数など）を用いて実施され得る。ソフトウェアコードは、メモリユニット内に記憶されて、プロセッサによって実施されることが可能である。メモリユニットは、プロセッサ内で実施されてよく、またはプロセッサの外部で実施されてもよく、その場合、メモリユニットは、当技術分野で知られている様々な手段を介してプロセッサに通信的に結合され得る。
【００７０】
上記で説明されたことは、１つまたは複数の態様の例を含む。前述の態様を説明するために、構成要素または方法のすべての考えられる組合せを説明することは当然不可能であるが、当業者は、様々な態様の多くのさらなる組合せおよび置換が可能である点を認識することが可能である。したがって、説明された態様は、添付の特許請求の精神および範囲に入るすべてのそのような変更、修正、および変更を包括することが意図されている。さらに、詳細な説明または特許請求の範囲において「含む(includes)」という用語が使用される範囲において、そのような用語は、「備える(comprising)」という用語が請求項においてトランジショナルワード(transitional word)として使用されるときに解釈されるように、「備える」と同様な方法で包括的であるように意図されている。さらに、詳細な説明または特許請求の範囲において使用される「または(or)」という用語は、「非排他的または(non-exclusive or)」であるように意味する。
【図１】
2010529706.tif 000003
【図２】
2010529706.tif 000004
【図３】
2010529706.tif 000005
【図４】
2010529706.tif 000006
【図５】
2010529706.tif 000007
【図６】
2010529706.tif 000008
【図７】
2010529706.tif 000009
【図８】
2010529706.tif 000010
【図９】
2010529706.tif 000011
【図１０】
2010529706.tif 000012
【図１１】
2010529706.tif 000013
【図１２】
2010529706.tif 000014
【図１３】
2010529706.tif 000015
【図１４】
2010529706.tif 000016
【図１５】
2010529706.tif 000017
【国際調査報告】
2010529706.tif 000018
2010529706.tif 000019
2010529706.tif 000020